(57)【要約】【課題】別の端末機から送られてきたメッセージを移動通信端末機の待機画面に表示できるようにする。【解決手段】待機画面設定を示す識別子を含めてメッセージを送受信し、該識別子を含んだメッセージが受信された場合に、制御部がこれを待機画面として表示する。受信メッセージがショートメッセージの場合は待機画面の文句として表示し、受信メッセージがマルチメディアメッセージの場合は待機画面の背景画面として表示する。【選択図】図１
2006270962.tif 000002
【特許請求の範囲】
【請求項１】
ディスプレイ部と、
メッセージを受信するための受信部と、
該受信部により受信されたメッセージに、所定の識別子が含まれているか否かを確認する判別部と、
該判別部で前記メッセージに識別子が含まれていることが確認された場合に、前記メッセージを待機画面として前記ディスプレイ部に表示するように制御する制御部と、
を備えたことを特徴とする移動通信端末機。
【請求項２】
前記識別子は、前記メッセージの内容に含まれていることを特徴とする請求項１に記載の移動通信端末機。
【請求項３】
前記識別子は、前記メッセージフォーマットの特定フィールドに含まれていることを特徴とする請求項１に記載の移動通信端末機。
【請求項４】
前記メッセージが、文字メッセージ、マルチメディアメッセージ、電子メールのうちのいずれかであることを特徴とする請求項１に記載の移動通信端末機。
【請求項５】
前記制御部は、前記メッセージが文字メッセージである場合に、前記文字メッセージの内容を前記待機画面の文句として表示することを特徴とする請求項４に記載の移動通信端末機。
【請求項６】
前記制御部は、前記メッセージがマルチメディアメッセージである場合に、前記マルチメディアメッセージに含まれたファイルを前記待機画面として表示することを特徴とする請求項４に記載の移動通信端末機。
【請求項７】
前記マルチメディアメッセージに含まれたファイルは、イメージファイル、動画ファイル、音楽ファイルのうちの１つ以上であることを特徴とする請求項６に記載の移動通信端末機。
【請求項８】
前記判別部は、前記メッセージに、前記待機画面に所定のスタイルで表示するように設定するスタイルコードが含まれているか否かを確認し、前記スタイルコードが含まれている場合に、これに該当するスタイルコード信号を前記制御部に出力することを特徴とする請求項１に記載の移動通信端末機。
【請求項９】
メッセージを前記待機画面として表示できるように許容された１つ以上の電話番号が格納されるメモリ部をさらに備え、
前記判別部は、前記受信されたメッセージに含まれた発信者電話番号が、前記メモリ部に格納された電話番号と一致する場合に、前記待機画面としての表示を許容する許容信号を前記制御部に出力することを特徴とする請求項１に記載の移動通信端末機。
【請求項１０】
前記制御部は、前記待機画面として表示することがユーザの選択により許容されたメッセージの発信者電話番号を前記メモリ部に格納することを特徴とする請求項９に記載の移動通信端末機。
【請求項１１】
前記受信部は、ローカルエリアネットワークを介して、前記メッセージを直接受信することが可能であることを特徴とする請求項１に記載の移動通信端末機。
【請求項１２】
ディスプレイ部と、
メッセージを受信するための受信部と、
該受信部により受信されたメッセージに、識別子が含まれているか否かを確認する判別部と、
該判別部で前記メッセージに識別子が含まれていることが確認された場合に、ユーザの選択に応じて、前記メッセージを待機画面として前記ディスプレイ部に表示するように制御する制御部と、
を備えたことを特徴とする移動通信端末機。
【請求項１３】
ユーザが前記メッセージを前記ディスプレイ部の待機画面として表示するか否かを選択するための入力部をさらに備えることを特徴とする請求項１２に記載の移動通信端末機。
【請求項１４】
メッセージを作成するための入力部と、
前記作成されたメッセージを、別の移動通信端末機の待機画面として表示するための待機画面表示用メッセージに変換するように制御する制御部と、
前記待機画面表示用メッセージを送信する送信部と、
を備えたことを特徴とする移動通信端末機。
【請求項１５】
前記待機画面表示用メッセージへの変換を選択するための切り替えメニュー、切り替えボタン又は待機画面表示用メッセージメニューのうちの１つ以上が表示されるディスプレイ部をさらに備え、
前記制御部は、前記ディスプレイ部に表示される前記切り替えメニュー、前記切り替えボタン又は前記待機画面表示用メッセージメニューのうちのいずれかの選択によって、前記メッセージを前記待機画面表示用メッセージに変換することを特徴とする請求項１４に記載の移動通信端末機。
【請求項１６】
前記待機画面表示用メッセージは、別の移動通信端末機の待機画面として表示されるように設定する識別子が、当該メッセージの内容またはパケットの特定フィールドに含まれることを特徴とする請求項１５に記載の移動通信端末機。
【請求項１７】
前記制御部は、ユーザが待機画面を変更したときに、その変更された内容に対応するように別の移動通信端末機の待機画面を変更する前記待機画面表示用メッセージを発信することを特徴とする請求項１４に記載の移動通信端末機。
【請求項１８】
前記送信部は、ローカルエリアネットワークを介して、前記待機画面表示用メッセージを直接送信するための近距離通信モジュールを含むことを特徴とする請求項１４に記載の移動通信端末機。
【請求項１９】
メッセージを受信する受信ステップと、
前記受信されたメッセージに、識別子が含まれているか否かを確認する判別ステップと、
前記判別ステップにおいて、前記メッセージに識別子が含まれていることが確認された場合に、前記メッセージを待機画面として表示する表示ステップと、
を含むことを特徴とする移動通信端末機の待機画面のメッセージ表示方法。
【請求項２０】
前記識別子が、前記メッセージの内容に含まれることを特徴とする請求項１９に記載の待機画面のメッセージ表示方法。
【請求項２１】
前記識別子は、前記メッセージフォーマットの特定フィールドに含まれることを特徴とする請求項１９に記載の待機画面のメッセージ表示方法。
【請求項２２】
前記メッセージは、文字メッセージ、マルチメディアメッセージ、電子メールのうちのいずれかであることを特徴とする請求項１９に記載の待機画面のメッセージ表示方法。
【請求項２３】
前記表示ステップで、前記メッセージが文字メッセージである場合に、該文字メッセージの内容を前記待機画面の文句として表示することを特徴とする請求項２２に記載の待機画面のメッセージ表示方法。
【請求項２４】
前記表示ステップで、前記メッセージがマルチメディアメッセージである場合に、該マルチメディアメッセージに含まれたファイルを前記待機画面として表示することを特徴とする請求項２２に記載の待機画面のメッセージ表示方法。
【請求項２５】
前記マルチメディアメッセージに含まれたファイルは、イメージファイル、動画ファイル、音楽ファイルのうちの１つ以上であることを特徴とする請求項２４に記載の待機画面のメッセージ表示方法。
【請求項２６】
前記判別ステップで、前記受信されたメッセージに、前記待機画面に所定のスタイルで表示するように設定するスタイルコードが含まれているか否かを判別し、前記スタイルコードが含まれている場合に、これに該当するスタイルコード信号を出力することを特徴とする請求項１９に記載の待機画面のメッセージ表示方法。
【請求項２７】
前記メッセージを前記待機画面として表示するようにユーザが設定した１つ以上の電話番号を格納する格納ステップをさらに含み、
前記判別ステップで、前記メッセージに含まれた発信者電話番号が、前記格納ステップで格納された電話番号と一致しているか否かを確認することを特徴とする請求項１９に記載の待機画面のメッセージ表示方法。
【請求項２８】
前記格納ステップは、前記待機画面として表示することがユーザの選択により許容された前記メッセージの発信者電話番号を格納するステップをさらに含むことを特徴とする請求項２７に記載の待機画面のメッセージ表示方法。
【請求項２９】
前記受信ステップは、ローカルエリアネットワークを介して、前記メッセージを直接受信することが可能であることを特徴とする請求項１９に記載の待機画面のメッセージ表示方法。
【請求項３０】
メッセージを受信する受信ステップと、
前記受信されたメッセージに、識別子が含まれているか否かを確認する判別ステップと、
前記判別ステップにおいて、前記メッセージに識別子が含まれていることが確認された場合に、当該メッセージを前記ディスプレイ部の待機画面として表示するか否かをユーザに選択させる選択ステップと、
前記選択ステップにおいてユーザが前記メッセージを前記ディスプレイ部の待機画面として表示することを選択した場合に、前記メッセージを前記ディスプレイ部の待機画面として表示する表示ステップと、
を含むことを特徴とする移動通信端末機の待機画面のメッセージ表示方法。
【請求項３１】
前記選択ステップで、前記メッセージを前記ディスプレイ部の待機画面として表示するか否かを、入力部を利用してユーザに選択させることを特徴とする請求項３０に記載の待機画面のメッセージ表示方法。
【請求項３２】
メッセージを作成する作成ステップと、
前記作成されたメッセージを、別の移動通信端末機の待機画面として表示するための待機画面表示用メッセージに変換する変換ステップと、
前記待機画面表示用メッセージを送信する送信ステップと、
を含むことを特徴とする移動通信端末機の待機画面表示用メッセージの発信方法。
【請求項３３】
前記待機画面表示用メッセージへの変換を選択するための切り替えメニュー、切り替えボタン又は待機画面表示用メッセージメニューのうちの１つ以上を表示する表示ステップをさらに含み、
前記変換ステップで、前記表示ステップで表示された前記切り替えメニュー、前記電話ボタン又は待機画面表示用メッセージメニューのうちのいずれかを選択することによって、前記メッセージを前記待機画面表示用メッセージに変換することを特徴とする請求項３２に記載の待機画面表示用メッセージの発信方法。
【請求項３４】
前記変換ステップで、別の移動通信端末機の待機画面として表示されるように設定する識別子を、前記メッセージの内容またはパケットの特定フィールドに含めることを特徴とする請求項３２に記載の待機画面表示用メッセージの発信方法。
【請求項３５】
ユーザが待機画面を変更したときに、その変更された内容に対応するように別の移動通信端末機の待機画面を変更するメッセージを発信することを特徴とする請求項３２に記載の待機画面表示用メッセージの発信方法。
【請求項３６】
前記送信ステップは、ローカルエリアネットワークを介して、前記メッセージを直接送信することが可能であることを特徴とする請求項３２に記載の表示用メッセージの発送方法。
【発明の詳細な説明】
【技術分野】
【０００１】
本発明は、移動通信（移動体通信）端末機、及びそのメッセージ表示方法に関する。
【背景技術】
【０００２】
移動通信端末機の技術が急速に発展するにつれて、動画を提供するか、カメラ機能が付いた移動通信端末機などのように、ユーザの欲求に応えて多様な機能が追加された移動通信端末機が提供されている。かかる移動通信端末機は、単に通話のためのものではなく、携帯用情報機器としてその役割が拡大されつつある。これにともない、移動通信端末機に多くの機能が追加されているものの、移動通信端末機の待機画面（待ち受け画面）は、単純な移動通信端末機の状態や呼び出し情報を表示する用途にしか使用されていない。例えば、時間表示、短いユーザ入力文字の表示、視覚的効果のためのイメージ表示などがそれである。
【発明の開示】
【発明が解決しようとする課題】
【０００３】
待機画面において短いユーザ入力文字を表示する場合、その表示される短いユーザ入力文字は、移動通信端末機のユーザが直接キーパッドを操作して文字を入力しなければならず、他の文字に切り替えて表示しようとする場合にも、いちいち文字を再作成して入力しなければならない。また、このように作成された待機画面文字は、ユーザに有用な情報を与えたり、満足感を与えたりする等の期待効果は無く、単にユーザが入力して設定した文句だけを表示するものである。
【０００４】
本発明は、この点に着目したもので、その目的は、移動通信端末機とその待機画面のメッセージ表示方法、及び待機画面表示用メッセージの発信方法を提供することにある。すなわち、メッセージを他人の移動通信端末機の待機画面として表示できるような設定を可能にし、また、受信したメッセージを待機画面として表示することを可能にするものである。
【課題を解決するための手段】
【０００５】
本発明の移動通信端末機は、ディスプレイ部と、メッセージを受信するための受信部と、受信部により受信されたメッセージに、識別子が含まれているか否かを確認する判別部と、判別部でメッセージに識別子が含まれていることが確認された場合に、当該メッセージを待機画面（Idle Screen）としてディスプレイ部に表示するように制御する制御部と、を備えることを特徴とする。
【０００６】
この場合の識別子は、メッセージの内容に含まれるか、メッセージフォーマットの特定フィールドに含まれたものとすることができる。また、メッセージは、文字メッセージ、マルチメディアメッセージ、電子メールのうちのいずれかを利用することができる。
【０００７】
制御部は、メッセージが文字メッセージである場合、当該文字メッセージの内容をディスプレイ部の待機画面の文句として表示することができる。また、制御部は、メッセージがマルチメディアメッセージである場合、当該マルチメディアメッセージに含まれたファイルを待機画面として表示することができる。
【０００８】
また、このような移動通信端末機は、メッセージを待機画面として表示できるように許容された１つ以上の電話番号を格納可能なメモリ部をさらに備え、判別部が、メッセージに含まれた発信者電話番号が、そのメモリ部に格納された電話番号と一致する場合に、待機画面としての表示を許容する許容信号を、制御部に出力する構成とすることができる。
【０００９】
この場合、制御部は、待機画面として表示することがユーザの選択により許容されたメッセージの発信者電話番号をメモリ部に格納することができる。
【００１０】
別の態様として、本発明の移動通信端末機は、ディスプレイ部と、メッセージを受信するための受信部と、受信部により受信されたメッセージに、識別子が含まれているか否かを確認する判別部と、判別部でメッセージに識別子が含まれていることが確認された場合に、ユーザの選択に応じて、当該メッセージを待機画面としてディスプレイ部に表示するように制御する制御部と、を備えることを特徴とする。
【００１１】
この場合、ユーザがメッセージをディスプレイ部の待機画面として表示するか否かを選択するための入力部をさらに備えることができる。
【００１２】
一方、本発明の移動通信端末機は、メッセージを作成するための入力部と、作成されたメッセージを、別の移動通信端末機の待機画面として表示するための待機画面表示用メッセージに変換するように制御する制御部と、待機画面表示用メッセージを送信する送信部と、を備えることを特徴とする。
【００１３】
さらに、本発明に係る待機画面のメッセージ表示方法は、メッセージを受信する受信ステップと、受信されたメッセージに、識別子が含まれているか否かを確認する判別ステップと、判別ステップにおいてメッセージに識別子が含まれていることが確認された場合に、当該メッセージを待機画面として表示する表示ステップと、を含むことを特徴とする。
【００１４】
また、本発明に係る待機画面のメッセージ表示方法は、メッセージを受信する受信ステップと、受信されたメッセージに、識別子が含まれているか否かを確認する判別ステップと、判別ステップにおいてメッセージに識別子が含まれていることが確認された場合に、メッセージをディスプレイ部の待機画面として表示するか否かをユーザに選択させる選択ステップと、選択ステップにおいてユーザがメッセージをディスプレイ部の待機画面として表示することを選択した場合に、当該メッセージをディスプレイ部の待機画面として表示する表示ステップと、を含むことを特徴とする。
【００１５】
一方、本発明に係る待機画面表示用メッセージの発信方法は、作成されたメッセージを、別の移動通信端末機の待機画面として表示するための、待機画面表示用メッセージに変換する変換ステップと、該待機画面表示用メッセージを送信する送信ステップと、を含むことを特徴とする。
【発明の効果】
【００１６】
本発明によれば、別の移動通信端末機から伝送され、ユーザが許容したメッセージを待機画面として表示することによって、待機画面に提供されるメッセージ機能の効率、利便性を高めることができる。また、別の移動通信端末機から受信したメッセージを待機画面として表示することによって、ユーザが受信したメッセージをより迅速に確認することができる。また、待機画面が動的に変化するため、便利な効果がある。
【発明を実施するための最良の形態】
【００１７】
以下、添付した図面を参照して、本発明の実施形態に係る移動通信端末機、移動通信端末機の待機画面のメッセージ表示方法、及び待機画面表示用メッセージの発信方法について、詳細に説明する。
【００１８】
図１は、本発明の一実施形態に係る移動通信端末機の構成を示したブロック図である。
【００１９】
図１に示すように、本発明の一実施形態に係る移動通信端末機は、入力部１１０、ディスプレイ部１２０、送信部１３０、受信部１４０、判別部１５０、制御部１６０、及びメモリ部１７０を備える。
【００２０】
まず、入力部１１０は、所定の入力デバイスを具備し、これを利用してユーザにメッセージを作成させる。また、ユーザは、入力部１１０を利用して、待機画面表示用メッセージであることを識別するための識別子と、待機画面のメッセージを表示し得るように許容した移動通信端末機の電話番号とを入力する。この場合に、待機画面表示用メッセージが複数である場合、ユーザは、入力部１１０を利用して、選択的にメッセージを待機画面の文句として表示することを中断または中止する命令信号を制御部１６０に入力する。
【００２１】
ディスプレイ部１２０は、入力部１１０から発生するキー入力信号、及び制御部１６０からの各種情報信号を表示する。また、ディスプレイ部１２０には、待機画面表示用メッセージへのメッセージ変換を選択するための、切り替えメニュー、切り替えボタン、待機画面表示用メッセージメニューうちの少なくとも１つが表示される。これと共に、ディスプレイ部１２０は、制御部１６０の制御に応じて、待機画面メッセージの表示が許容された移動通信端末機から伝送されたメッセージを待機画面として表示する。
【００２２】
送信部１３０は、アンテナ（ＡＮＴ）を介して基地局と通信を行うことによって、待機画面表示用メッセージを含む無線信号を基地局に送信する。このような送信部１３０は、ローカルエリアネットワークを介してメッセージを直接送信可能な近距離通信モジュールを含む。
【００２３】
受信部１４０は、アンテナを介して基地局と通信を行うことによって、待機画面表示用メッセージを含む無線信号を受信する。このような受信部１４０は、ローカルエリアネットワークを介してメッセージを直接受信可能な近距離通信モジュールを含む。
【００２４】
判別部１５０は、受信部１４０を介して受信されたメッセージに識別子が含まれているか否かを確認し、識別子が含まれている場合には、これに該当する信号を出力する。
【００２５】
制御部１６０は、ＭＳＭ（Mobile Station Modem）を具備して、移動通信端末機の通常の動作を制御し、入力部１１０を介して作成されたメッセージが別の移動通信端末機の待機画面として表示可能となる待機画面表示用メッセージに変換する制御を実行する。また、制御部１６０は、判別部１５０から入力される許容信号に応じて、受信したメッセージを待機画面（Idle Screen）として表示するように、ディスプレイ部１２０を制御する。
【００２６】
メモリ部１７０は、移動通信端末機の全般的な動作を制御する所定のプログラム、及びプログラム遂行中に入出力されるデータ、及び処理される各種データが格納される。また、メモリ部１７０には、入力部１１０から入力された待機画面メッセージであることを識別するための識別子と、自分の移動通信端末機で待機画面のメッセージを表示し得るように許容した別の移動通信端末機の電話番号が格納される。
【００２７】
このように構成される本発明の一実施形態に係る移動通信端末機で実行される、待機画面のメッセージ表示方法、及び待機画面表示用メッセージの発信方法を説明する。
【００２８】
＜１つの短文（ショート）メッセージを待機画面表示用メッセージとして発信する方法＞
【００２９】
図２は、待機画面表示用メッセージの発信方法を順次示したフローチャートであり、図３は、短文メッセージを待機画面表示用メッセージに変換して発信するときの画面状態を例示した図である。
【００３０】
図２に示すように、本例の待機画面表示用メッセージの発信方法は、メッセージを作成するメッセージ作成ステップ（Ｓ２００）と、作成されたメッセージを、別の（通信相手）移動通信端末機の待機画面として表示させるための待機画面表示用メッセージに変換する変換ステップ（Ｓ２１０〜Ｓ２３０）と、変換された待機画面表示用メッセージを送信する送信ステップ（Ｓ２４０）と、を含む。
【００３１】
まず、図３のように、ユーザが入力部１１０を利用して短文メッセージの作成を開始すれば（Ｓ２００）、制御部１６０は、当該短文メッセージを待機画面表示用メッセージに変換するための変換メニュー１０をディスプレイ部１２０の隅（ファンクションキー関連表示域）に表示する（Ｓ２１０）。
【００３２】
この後、制御部１６０は、ユーザが入力部１１０を利用して、短文メッセージの内容を「あなた頑張ってね〜」と作成した後、ディスプレイ部１２０の隅に表示された変換メニュー１０が選択されるか否かを確認する（Ｓ２２０）。そして、制御部１６０は、ユーザにより変換メニュー１０が選択された場合には、作成された短文メッセージを待機画面表示用メッセージに変換する（Ｓ２３０）。
【００３３】
変換を実行する制御部１６０は、該当短文メッセージのパケットフォーマットの特定フィールドに、所定の識別子を付与することによって、作成された短文メッセージを待機画面表示用メッセージに変換することができる。
【００３４】
このようにして、ユーザが作成した短文メッセージを、待機画面表示用メッセージに変換する。これにより、当該短文メッセージの内容が、別の（通信相手の）移動通信端末機において待機画面の文句として表示される。変換にあたっては、ユーザに入力部１１０を利用させて、該当待機画面に文句が表示されるスタイル（様式）を指定させることができる。すなわち、ユーザが入力部１１０を利用して、「文字流れ」（テロップ）のスタイルを指定した場合、制御部１６０は、該当スタイルを示すスタイルコード、例えば、「文字流れ」を指定するスタイルコードが「１」に該当すれば、これを短文メッセージパケットフォーマットの特定フィールドに追加する。
【００３５】
このように短文メッセージのパケットフォーマットの特定フィールドに追加される識別子とスタイルコードの位置は、短文メッセージのパケットフォーマットを考慮して設定されるが、これは、図４の通りである。図４は、一例として、ＫＳＣ５６０１エンコード方式において識別子を挿入する領域を説明する図である。
【００３６】
図４に示すように、制御部１６０は、ハングルエンコード方式であるＫＳＣ５６０１のコード領域において、０ｘＡ１Ａ０からＯＦＥＦＥまでは規定領域であるため、これ以外の領域に短文メッセージの識別子を含める。ＫＳＣ５６０１のコード領域を使用しない場合には、制御部１６０は、ユニコード（Unicode）領域において規定のない非予約領域に識別子を含めることができる。
【００３７】
このように、制御部１６０により、短文メッセージのパケットフォーマットに識別子が含められて待機画面表示用メッセージに変換された短文メッセージは、送信部１３０を介して「宛て先」の電話番号に送信される（Ｓ２４０）。
【００３８】
この他に制御部１６０は、識別子を上述とは異なる位置に含めることもできるが、これは、次の通りである。図５は、短文メッセージの内容に識別子を含める例の画面を示した図であり、図６は、図５に示した識別子が短文メッセージのパケットに含まれる一例を説明する図である。
【００３９】
図５に示すように、ユーザが入力部１１０を利用して、短文メッセージの内容を「あなた頑張ってね〜」と作成すれば、制御部１６０は、短文メッセージの内容が始まる最初部分に「＃１２＊」という識別子を付与することができる。これと共に、「文字流れ」のスタイル名称の開始点の前に「＃１＊」というスタイルコードを付与して、スタイルを指定することができる。この時の制御部１６０は、図６に示すように、ユーザが作成した文字メッセージデータの前の領域の８〜１２バイト程度を活用して、識別子とスタイルコードとを含める。
【００４０】
なお、短文メッセージの内容が始まる最初部分に識別子を付与し、スタイル名称の開始点の前にスタイルコードを付与する例を示したが、これに限定されるものではない。すなわち、短文メッセージの内容が終わる部分に識別子を付与し、スタイル名称が終わる部分にスタイルコードを付与するなど、この他にもいろいろな位置に該当コードを付与することができる。
【００４１】
また、短文メッセージを待機画面表示用メッセージに変換するための変換メニュー１０について、ディスプレイ部６０の隅に表示する例を示したが、同じ機能を果たす待機画面表示用メッセージメニューを表示することもできる。または、別の切り替えボタンを備えることもできる。
【００４２】
上記の例とは異なり、ユーザが入力部１１０を利用して自分の移動通信端末機の待機画面を変更したときに、制御部１６０が、これに対応する待機画面表示用メッセージを生成して特定ユーザに発信するフローも可能である。このときに制御部１６０が待機画面表示用メッセージを生成する詳細は、上述したものと同様に実行可能である。
【００４３】
＜１つの短文（ショート）メッセージを待機画面として表示する方法＞
【００４４】
上述した＜１つの短文メッセージを待機画面表示用メッセージとして発信する方法＞で作成された短文メッセージを受信した移動通信端末機が、当該短文メッセージを待機画面として表示する方法を説明すれば、次の通りである。
【００４５】
図７は、待機画面のメッセージ表示方法の例を順次に示したフローチャートであり、図８ａ〜図８ｃは、その短文メッセージが待機画面として表示される例を示した図である。
【００４６】
図７に示すように、本発明の一実施形態に係る移動通信端末機のメッセージ表示方法は、メッセージを受信する受信ステップ（Ｓ７００〜Ｓ７２０）と、受信したメッセージに識別子が含まれているか否かを確認する判別ステップ（Ｓ７３０〜Ｓ７９０）と、判別ステップにおいてメッセージに識別子が含まれていると確認された場合に、メッセージを待機画面として表示する表示ステップ（Ｓ８００〜Ｓ８１０）と、を含む。
【００４７】
まず、メモリ部１７０には、受信したメッセージが待機画面表示用メッセージであることを判別するための識別子と、スタイルに対応させて設定されたスタイルコードが格納される（Ｓ７００）。これら識別子とスタイルコードに対する説明は、＜１つの短文メッセージを待機画面表示用メッセージとして発信する方法＞において説明したものと同様なので、詳細な説明は省略する。
【００４８】
ユーザは、入力部１１０を利用して、待機画面表示用メッセージを許容する１つ以上の移動通信端末機の電話番号を設定して、メモリ部１７０に格納する（Ｓ７１０）。
【００４９】
この後、図８ａのように移動通信端末機が待機中の状態にあるとする。移動通信端末機が待機中の状態とは、呼の送受信用に待機中の状態であり、入力部１１０を介したユーザの特定キー入力操作がなくて、ディスプレイ部１２０には、予め設定した待機画面が表示されている状態である。図８ａでは、ディスプレイ部１２０の待機画面に、待機画面の文句２０として「衛星ＴＶを見よう〜」が設定されている例を示している。
【００５０】
このような待機状態において、受信部１４０を介して短文メッセージが受信されれば（Ｓ７２０）、判別部１５０は、受信した短文メッセージパケットフォーマットの特定フィールドに識別子が含まれているか否かを確認する（Ｓ７３０）。例えば、図４におけるＫＳＣ５６０１コード領域の場合、判別部１５０は、受信した短文メッセージで０ｘＦＦ００、０ｘＦＦ０１、０ｘＦＦ０２領域が最初の文字列に入ってくると、次に入ってきた文字は、待機画面に表示する文字として認識して、識別子を判断する。
【００５１】
この他の例として、判別部１５０は、該当短文メッセージの内容に識別子が含まれているか否かを確認することもできる。すなわち、判別部１５０は、図６で説明したように、識別子が、受信した文字メッセージデータの前の領域の約８〜１２バイトに含まれた場合に、これを識別子として確認する。
【００５２】
判別部１５０は、受信した短文メッセージに識別子が含まれていない場合には、これに対応する信号を制御部１６０に出力する。これを受信した制御部１６０は、受信した短文メッセージを通常の短文メッセージとして認識して、ディスプレイ部１２０に表示するように制御する（Ｓ７４０）。
【００５３】
一方、判別部１５０は、該当短文メッセージに識別子が含まれている場合には、当該短文メッセージの発信者電話番号が、待機画面表示用メッセージを許容するとしてメモリ部１７０に設定されたものであるか否かを確認する（Ｓ７５０）。
【００５４】
このときに判別部１５０は、短文メッセージにおいて、パケットフォーマットの特定フィールドまたは短文メッセージの内容に識別子が含まれてはいるが、発信者電話番号が待機画面表示用メッセージを許容するように設定された電話番号ではない場合には、これに該当する信号を制御部１６０に出力する。この信号を判別部１５０から受信した制御部１６０は、図８ｂのように、「受信した短文メッセージを待機画面として表示しますか」というメッセージ３０をディスプレイ部１２０に表示するよう制御する（Ｓ７６０）。
【００５５】
ここでユーザが、該当短文メッセージをディスプレイ部１２０に表示することを選択すれば、制御部１６０は、その発信者電話番号を、待機画面表示用メッセージを許容するように設定するか否かを選択するメッセージを表示する（Ｓ７７０）。これに応じユーザが、入力部１１０を利用して発信者電話番号を格納することを選択した場合、制御部１６０は、当該電話番号を、待機画面表示用メッセージを許容する電話番号として設定して、メモリ部１７０に格納する（Ｓ７８０）。
【００５６】
さらに、判別部１５０は、受信した短文メッセージのパケットフォーマットにスタイルコードが含まれているか否かを確認する（Ｓ７９０）。スタイルコードが含まれていた場合には、これを示すスタイルコード信号を制御部１６０へ出力し、制御部１６０は、当該スタイルコードに該当するスタイルで、待機画面の文句として表示する（Ｓ８００）。すなわち、制御部１６０は図８ｃのように、受信した短文メッセージの内容である「あなた頑張ってね〜」を待機画面の文句４０として表示する時に、この「あなた頑張ってね〜」という文句４０を、送信者が設定したスタイルの通りに表示する。送信者が該当短文メッセージのスタイルコードを「文字流れ」と設定していたとすれば、待機画面の文句４０である「あなた頑張ってね〜」は、ディスプレイ部１２０の画面右側から左側へ流れる字幕として表示される。
【００５７】
一方、判別部１５０が、受信した短文メッセージのパケットフォーマットにスタイルコードが含まれているか否かを確認して（Ｓ７９０）、スタイルコードが含まれていない場合には、制御部１６０は、受信したメッセージを特定のスタイル無しで待機画面の文句として表示する（Ｓ８１０）。あるいは、制御部１６０は、ユーザが任意に設定したスタイルで待機画面の文句を表示することもできる。
【００５８】
このような待機画面の文句は、ディスプレイ部１２０の待機画面上の文字や数字、特殊記号、文章、文句、アイコンのうちのいずれかまたはこれらの組み合わせからなる。
【００５９】
上述の処理とは異なり、制御部１６０は、受信したメッセージを待機画面として表示するか否かを問う確認メッセージを、ディスプレイ部１２０に表示し、これに応じてユーザが入力部１１０を利用して、待機画面として表示することを選択するようにもできる。表示が許容されれば、制御部１６０は、これをディスプレイ部１２０に待機画面として表示する。
【００６０】
＜複数の短文（ショート）メッセージを待機画面として表示する方法＞
【００６１】
受信部１４０を介して複数の短文メッセージが受信される場合に、判別部１５０及び制御部１６０は、当該複数の短文メッセージについて、上述したように識別子が含まれているか否かを確認し、上述した手順を経て、これを通常の短文メッセージとして認識してディスプレイ部１２０に表示するか、待機画面として表示するかを決定する。
【００６２】
この場合に、受信した複数の短文メッセージのうちの２以上の短文メッセージが、待機画面表示用メッセージとして決定された場合には、次のように様々な方法で待機画面を表示することができる。
【００６３】
例えば、「あなた頑張ってね〜」という内容の短文メッセージを受信した後に、「頑張れ！」という内容の短文メッセージを受信した場合を見よう。この時、制御部１６０は、「あなた頑張ってね〜」という内容の短文メッセージを待機画面として表示した後、これを、その次に受信した「頑張れ！」という内容の短文メッセージに切り替えて待機画面として表示できる。
【００６４】
または、制御部１６０は、２つの短文メッセージを一定の時間差で待機画面として表示することもできる。すなわち、「あなた頑張ってね〜」という内容の短文メッセージを待機画面として表示し、５秒後に、「頑張れ！」という内容の短文メッセージを待機画面として表示した後、また５秒後に、「あなた頑張ってね〜」という内容の短文メッセージを待機画面として表示する。このように、複数の短文メッセージが待機画面表示用メッセージである場合、一定の時間差でローテーションしながら、繰り返して待機画面表示を行うことが可能である。
【００６５】
また、制御部１６０は、受信した複数の短文メッセージの内容をランダムに選択して表示することもできる。これと共に、ユーザの選択に応じて、複数の短文メッセージの内容を表示することもできる。
【００６６】
または、ユーザが、待機画面表示用メッセージを許容する移動通信端末機の電話番号を設定する際に、所定の優先順位を設定することもできる。これにより、制御部１６０は、優先順位が設定された移動通信端末機の電話番号から受信された待機画面表示用メッセージを、優先的に待機画面として設定する。
【００６７】
これら複数の短文メッセージを待機画面として表示する制御は、ユーザの設定により変更され得る。
【００６８】
＜１つのイメージファイルが含まれたマルチメディアメッセージを待機画面表示用メッセージとして発信する方法＞
【００６９】
図９は、イメージファイルが含まれたマルチメディアメッセージを待機画面表示用メッセージに変換して発信する操作画面の例を示した図である。
【００７０】
図９に示すように、マルチメディアメッセージを待機画面表示用メッセージに変換して発信するためには、まず、メッセージにイメージファイル５０を添付する。この後にユーザの操作に従い、図２において説明した処理と同様な方法で待機画面表示用メッセージとしてマルチメディアメッセージを送信することができる。すなわち、イメージファイル５０を添付したマルチメディアメッセージの作成が完了した後、変換メニュー１０がユーザにより選択されれば、制御部１６０は、当該マルチメディアメッセージを待機画面表示用メッセージに変換して発信する。
【００７１】
＜１つのイメージファイルが含まれたマルチメディアメッセージを待機画面として表示する方法＞
【００７２】
図１０ａ及び図１０ｂは、イメージファイルが含まれたマルチメディアメッセージが待機画面表示用メッセージとして表示されるディスプレイ部を示した図である。
【００７３】
図１０ａに示す待機画面を表示している移動通信端末機の判別部１５０及び制御部１６０は、マルチメディアメッセージが受信部１４０を介して受信された場合、当該マルチメディアメッセージに識別子が含まれているか否かを確認する等の手順を、図４に関連して上述したフロー同様に実行する。
【００７４】
但し、制御部１６０は、マルチメディアメッセージが受信された場合は、マルチメディアメッセージに含まれているイメージファイルを待機画面として表示する。すなわち、制御部１６０は、図１０ａのように表示していた待機画面を、図１０ｂのように、受信されたマルチメディアメッセージに添付されていたイメージファイルに変更して、ディスプレイ部１２０の待機画面として表示する。
【００７５】
これとは異なり、制御部１６０は、図１１のように表示することもできる。図１１は、マルチメディアメッセージに含まれていたイメージファイルを、待機画面の空白部分に挿入する一例を示している。制御部１６０は、マルチメディアメッセージに含まれていたイメージファイルを、ユーザがそれまでに設定していた待機画面の空白部分（背景部分）に挿入する。
【００７６】
＜イメージファイルが含まれた複数のマルチメディアメッセージを待機画面として表示する方法＞
【００７７】
判別部１５０及び制御部１６０は、複数のマルチメディアメッセージが受信部１４０に受信されれば、図７に関連して上述した処理と同様に、該当マルチメディアメッセージに識別子が含まれているか否かを確認する。
【００７８】
この後、制御部１６０は、複数のマルチメディアメッセージを、受信した順序にしたがって順次に待機画面として表示できる。すなわち、先に受信したマルチメディアメッセージに含まれたイメージファイルを、待機画面として表示し、以後、受信したマルチメディアメッセージに含まれたイメージファイルを表示する過程を順次に繰り返す。
【００７９】
または、制御部１６０は、複数のマルチメディアメッセージに含まれたイメージファイルを、一定の時間で順次にローテーションしながら待機画面として表示できる。すなわち、最初に受信したマルチメディアメッセージに含まれたイメージファイルを表示し、以後、受信されたそれぞれのマルチメディアメッセージに含まれたイメージファイルを順次表示していき、最後のマルチメディアメッセージに含まれたイメージファイルを表示した後に、再び最初のマルチメディアメッセージに含まれたイメージファイルから表示する。
【００８０】
また、制御部１６０は、受信した複数のマルチメディアメッセージに含まれたイメージファイルを、ランダムに選択して表示することもできる。これと共に、ユーザの選択によって複数のマルチメディアメッセージに含まれたイメージファイルを表示することもできる。
【００８１】
これらの制御は、１つのマルチメディアメッセージに複数のイメージファイルが添付された場合にも同様に適用可能である。
【００８２】
以上の実施形態では、マルチメディアメッセージに含まれたファイルが、イメージファイルである場合に限って説明したが、これに限定されるものではない。すなわち、マルチメディアメッセージに含まれたファイルは、動画ファイルや音楽ファイル等のうちの１つ以上であり得る。
【００８３】
制御部１６０は、マルチメディアメッセージに動画ファイルが含まれている場合には、待機画面に当該動画を表示し、音楽ファイルの場合には、待機中である状態において当該音楽を再生する。
【００８４】
これと共に、制御部１６０は、ユーザから移動通信端末機の待機画面変更があれば、その変更された内容に対応するように、別の（通信相手）移動通信端末機の待機画面を変更するためのメッセージを発信することもできる。
【００８５】
以上は、作成された待機画面表示用メッセージの送受信過程が、移動通信網（移動体通信網）を利用して行われる場合に限って説明したが、これに限定されるものではない。すなわち、ユーザは、作成された待機画面表示用メッセージを、送信部１３０の機能に含まれているローカルエリアネットワークを介して別の移動通信端末機に直接送信することが可能である。
【００８６】
また、以上の実施形態では、短文メッセージ、マルチメディアメッセージを待機画面として表示することに対して説明したが、これ以外に電子メールなどのテキスト、イメージファイルなどが含まれた全てのメッセージの使用が可能である。
【００８７】
本発明は、上記の実施形態に限定されるものではなく、本発明に係る技術的思想の範囲から逸脱しない範囲内で様々な変更が可能であり、それらも本発明の技術的範囲に属する。
【図面の簡単な説明】
【００８８】
【図１】本発明の一実施形態に係る移動通信端末機の構成を示したブロック図である。
【図２】待機画面表示用メッセージの発信方法を順次示したフローチャートである。
【図３】短文メッセージを待機画面表示用メッセージに変換して発信する際の画面表示を示した図である。
【図４】ＫＳＣ５６０１エンコード方式における識別子の挿入領域を説明するための図である。
【図５】短文メッセージの内容に識別子を含める場合の画面を示した図である。
【図６】図５に示した識別子が短文メッセージのパケットに含まれる一例を説明する図である。
【図７】待機画面のメッセージ表示方法を順次示したフローチャートである。
【図８】（ａ）は、変更前の待機画面を例示した図、（ｂ）は、待機画面を短文メッセージ表示に変更する選択画面を例示した図、（ｃ）は、短文メッセージ表示に変更した待機画面を例示した図である。
【図９】イメージファイルを含ませたマルチメディアメッセージを待機画面表示用メッセージに変換して発信する際の画面表示を例示した図である。
【図１０】（ａ）は、変更前の待機画面を例示した図、（ｂ）は、マルチメディアメッセージに含まれていたイメージファイルを表示した待機画面を例示した図である。
【図１１】マルチメディアメッセージに含まれていたイメージファイルを空白部分（背景部分）に表示した待機画面を例示した図である。
【図１】
2006270962.tif 000003
【図２】
2006270962.tif 000004
【図３】
2006270962.tif 000005
【図４】
2006270962.tif 000006
【図５】
2006270962.tif 000007
【図６】
2006270962.tif 000008
【図７】
2006270962.tif 000009
【図８】
2006270962.tif 000010
【図９】
2006270962.tif 000011
【図１０】
2006270962.tif 000012
【図１１】
2006270962.tif 000013